(57)【要約】【課題】  従来技術では、電力基本料金などに対して具体的な対策を立てるのが難しかった。【解決手段】省電力シート出力装置が出力する「省電力シート」０１００は、電力基本料金算定期間中の最大のデマンド値とそれに近い値として検出された複数のデマンド値とその各検出日時の全部又は一部とを対にして、デマンド値の大きさの昇順または降順に並べて表示する「第一表」０１１０と、「第一表」０１１０に表示された最大のデマンド値よりも小さな値のデマンド値である目標デマンド値の候補と、その候補となる目標デマンド値を超過した第一表に係る電力基本料金算定期間中のデマンド値の検出回数とを対にして、目標デマンド値の大きさの昇順または降順にならべて表示する「第二表」０１２０とを含むものである。【選択図】図１
2011114915.tif 000002
【特許請求の範囲】
【請求項１】
電力基本料金算定期間中の最大のデマンド値及び同期間中の前記最大のデマンド値に近い値として検出された複数のデマンド値と、その各検出日時の全部又は一部とを対にして、デマンド値の大きさの昇順または降順に並べて表示する第一表と、
前記第一表に表示された最大のデマンド値よりも小さな値のデマンド値である目標デマンド値の候補と、その候補となる目標デマンド値を超過する電力基本料金算定期間中のデマンド値の検出回数とを対にして、目標デマンド値の大きさの昇順または降順に並べて表示する第二表と、
を含む省電力シート。
【請求項２】
前記第二表は、
前記目標デマンド値の各候補を今後超過しないように警告装置にて警告を行うと仮定した場合の警告回数と前記目標デマンド値の候補とをさらに対にして表示することを特徴とする請求項１に記載の省電力シート。
【請求項３】
電力基本料金算定期間中の最大の１日間電力使用量及び同期間中の前記最大の１日間電力使用量に近い値として検出された複数の１日間電力使用量と、その各検出日及びその各検出日における最大のデマンド値とを対にして、１日間電力使用量の大きさの昇順または降順に並べて表示する第三表をさらに含む請求項１又は２に記載の省電力シート。
【請求項４】
電力基本料金算定期間中における過去所定期間の営業時間外の事業場の電力使用量と、
前記過去所定期間の事業場において常時最低限使用された電力量である必要待機電力量及び営業時間外の事業場において必要待機電力以外に使用された電力量である余分待機電力量とを対にして表示する第四表をさらに含む請求項１から３のいずれか一に記載の省電力シート。
【請求項５】
電力基本料金算定期間中のデマンド値とその検出日時のデータであるデマンド値データを取得するデマンド値データ取得部と、
前記電力基本料金算定期間中の最大のデマンド値及び同期間中の前記最大のデマンド値に近い値として検出された複数のデマンド値と、その各検出日時の全部又は一部とを対にして、デマンド値の大きさの昇順または降順に並べて表示する第一表をシートデータに出力する第一表出力部と、
前記第一表に表示された最大のデマンド値よりも小さな値のデマンド値である目標デマンド値の候補と、その候補となる目標デマンド値を超過する電力基本料金算定期間中のデマンド値の検出回数とを対にして、目標デマンド値の大きさの昇順または降順に並べて表示する第二表を前記シートデータに出力する第二表出力部と、
からなる省電力シート出力装置。
【請求項６】
前記第二表出力部は、
前記目標デマンド値の各候補を超過する電力基本料金算定期間中のデマンド値の検出回数に基づいて、前記目標デマンド値の各候補を今後超過しないように警告装置にて警告を行うと仮定した場合の警告回数と前記目標デマンド値の各候補とをさらに対にして前記第二表を出力する警告回数出力手段を有することを特徴とする請求項５に記載の省電力シート出力装置。
【請求項７】
電力基本料金算定期間中の１日間電力使用量とその検出日及びその検出日における最大のデマンド値のデータである日毎データを取得する日毎データ取得部と、
前記１日間電力使用量とその検出日及びその検出日における最大のデマンド値に基づいて、電力基本料金算定期間中の最大の１日間電力使用量及び同期間中の前記最大の１日間電力使用量に近い値として検出された複数の１日間電力使用量と、その各検出日及びその各検出日における最大のデマンド値とを対にして、１日間電力使用量の大きさの昇順または降順に並べて表示する第三表を前記シートデータに出力する第三表出力部と、
をさらに有する請求項５又は６に記載の省電力シート出力装置。
【請求項８】
電力基本料金算定期間中における過去所定期間の営業時間外の事業場の電力使用量である営業時間外電力使用量のデータを取得する営業時間外電力使用量データ取得部と、
前記営業時間外電力使用量に基づいて、前記過去所定期間の事業場において常時最低限使用された電力量である必要待機電力量を取得する必要待機電力量取得部と、
前記営業時間外電力使用量と前記必要待機電力量に基づいて前記過去所定期間の営業時間外の事業場において必要待機電力量以外に使用された電力使用量である余分待機電力量を取得する余分待機電力量取得部と、
前記営業時間外の事業場の電力使用量と必要待機電力及び余分待機電力とを対にして表示する第四表を前記シートデータに出力する第四表出力部と、
をさらに有する請求項５から７のいずれか一に記載の省電力シート出力装置。
【発明の詳細な説明】
【技術分野】
【０００１】
本発明は、電力の使用状況を把握することが可能な省電力シートや、その省電力シートを出力することが可能な省電力シート出力装置などに関する。
【背景技術】
【０００２】
従来、電力の使用量の把握は定期的に電力会社等から送られてくる電力料金の請求書によって把握するのが一般的である。電力料金の請求書は、例えば過去所定期間における時間帯ごとの電力使用量や総電力使用量、電力使用量に対応する請求額の情報などが表示されている。電力利用者は当該情報に基づいて電力の使用量を大まかに把握している。
【０００３】
また、電力料金などの支出を減らすために複数の対策案を立て、その対策案を分かりやすく表にすることも一般的に行われている。例えば、特許文献１に示されているように、現在の状況と改善後の状況を明瞭に表示することができる一覧表形式とした改善提案表などが知られている。
【先行技術文献】
【特許文献】
【０００４】
【特許文献１】特開２００１−３０７００９
【発明の概要】
【発明が解決しようとする課題】
【０００５】
しかしながら、電力料金を安くしたい電力利用者にとって、電力会社等から送られてくる電力料金の請求書を見ただけでは、いかなる日時の電力使用がネックになって電力基本料金が高くなったのかを把握することが難しかった。また、電力基本料金を安くするために目標デマンド値を立てるとしても、どのような値が適当であるかについても認識することが難しかった。また、特許文献１のような技術は、情報を分かりやすく一元管理することはできるものの、電力料金などに対して具体的な対策を立てるのに特に適しているとはいえなかった。
【０００６】
以上の課題を解決するために、本発明は、電力基本料金算定期間中の最大のデマンド値及び同期間中の前記最大のデマンド値に近い値として検出された複数のデマンド値とその各検出日時の全部又は一部とを対にして、デマンド値の大きさの昇順または降順に並べて表示する第一表と、前記第一表に表示された最大のデマンド値よりも小さな値のデマンド値である目標デマンド値の候補と、その候補となる目標デマンド値を超過した電力基本料金算定期間中のデマンド値の検出回数とを対にして、目標デマンド値の大きさの昇順または降順に並べて表示する第二表とを含む省電力シートを提案する。
【０００７】
また、電力基本料金算定期間中のデマンド値とその検出日時のデータであるデマンド値データを取得するデマンド値データ取得部と、前記電力基本料金算定期間中の最大のデマンド値及び同期間中の前記最大のデマンド値に近い値として検出された複数のデマンド値とその各検出日時の全部又は一部とを対にして、デマンド値の大きさの昇順または降順に並べて表示する第一表をシートデータに出力する第一表出力部と、前記第一表に表示された最大のデマンド値よりも小さな値のデマンド値である目標デマンド値の候補と、その候補となる目標デマンド値を超過した電力基本料金算定期間中のデマンド値の検出回数とを対にして、目標デマンド値の大きさの昇順または降順に並べて表示する第二表を前記シートデータに出力する第二表出力部と、からなる省電力シート出力装置を提案する。
【発明の効果】
【０００８】
以上のような構成をとる本発明によって、どのような日時の電力使用の結果により電力基本料金が増加したのかを把握することが可能になり、具体的な対策を立てやすくなる。また、電力基本料金を下げるために目標デマンド値を立てるに際して、過去の電力使用状況の情報に基づいて妥当な値を選択することが可能になる。
【図面の簡単な説明】
【０００９】
【図１】実施例１の省電力シートの一例を示す図
【図２】実施例１の省電力シート出力装置の機能ブロックの一例を示す図
【図３】実施例１の省電力シートの第一表の他の例を示す図
【図４】実施例１の省電力シートの第二表の他の例を示す図
【図５】実施例１の省電力シート出力装置のハードウェア構成図の一例を示す図
【図６】実施例１の省電力シート出力方法の処理の流れの一例を示す図
【図７】実施例２の省電力シートの一例を示す図
【図８】実施例２の省電力シート出力装置の機能ブロックの一例を示す図
【図９】実施例２の省電力シートの第二表の他の例を示す図
【図１０】実施例２の省電力シートの第二表の他の例を示す図
【図１１】実施例３の省電力シートの一例を示す図
【図１２】実施例３の省電力シート出力装置の機能ブロックの一例を示す図
【図１３】実施例３の省電力シート出力方法の処理の流れの一例を示す図
【図１４】実施例４の省電力シートの一例を示す図
【図１５】実施例４の省電力シート出力装置の機能ブロックの一例を示す図
【図１６】実施例４の省電力シートの第四表の他の例を示す図
【図１７】実施例４の省電力シート出力方法の処理の流れの一例を示す図
【発明を実施するための形態】
【００１０】
以下に、本発明の実施例を説明する。実施例と請求項の相互の関係は、以下のとおりである。実施例１は主に請求項１、５などに関し、実施例２は主に請求項２、６などに関し、実施例３は主に請求項３、７などに関し、実施例４は主に請求項４、８などに関する。なお、本発明はこれらの実施例に何ら限定されるものではなく、その要旨を逸脱しない範囲内において、様々な態様で実施しうる。
【実施例１】
【００１１】
<概要>
図１に示すように、本実施例の省電力シート出力装置が出力する「省電力シート」０１００は、電力基本料金算定期間中の最大のデマンド値とそれに近い値として検出された複数のデマンド値とその各検出日時の全部又は一部とを対にして、デマンド値の大きさの昇順または降順に並べて表示する「第一表」０１１０と、「第一表」０１１０に表示された最大のデマンド値よりも小さな値のデマンド値である目標デマンド値の候補と、その候補となる目標デマンド値を超過した第一表に係る電力基本料金算定期間中のデマンド値の検出回数とを対にして、目標デマンド値の大きさの昇順または降順にならべて表示する「第二表」０１２０とを含むものである。当該構成とすることにより、どのような日時の電力使用の結果により電力基本料金が増加したのかを把握することが可能になり、具体的な対策を立てやすくなる。また、電力基本料金を下げるために目標デマンド値を立てるに際して、過去の電力使用状況の情報に基づいて妥当な値を選択することが可能になる。
【００１２】
<構成>
図２は、本実施例の省電力シート出力装置の機能ブロックの一例を示す図である。この図にあるように、本実施例の「省電力シート出力装置」０２００は、「デマンド値データ取得部」０２０１と、「第一表出力部」０２０２と、「第二表出力部」０２０３と、を備える。
【００１３】
なお、以下に記載する装置の機能ブロックは、ハードウェア、ソフトウェア、又はハードウェア及びソフトウェアの両方として実現され得る。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００１４】
「デマンド値データ取得部」は、電力基本料金算定期間中のデマンド値とその検出日時のデータであるデマンド値データを取得する機能を有する。ここで、電力基本料金算定期間とは、電力の基本料金を算定する際に参照される期間のことをいう。また、デマンド値とは、所定時間（例えば３０分）の電力使用量の平均値を取った値であり、電力基本料金を算定する際に一般的に用いられている値である。電力基本料金は、過去所定期間（例えば、過去一年間）におけるピークデマンド値に基づいて行われることが多く、今後の一定期間において当該ピークデマンド値を所定値以下に抑えることで電力基本料金を減らすことが可能になる。
【００１５】
デマンド値データは、有線又は無線の通信回線を通じて取得する構成が考えられる。ここで、デマンド値データは複数の電力使用者から取得して、各電力使用者のＩＤと関連づけて記憶装置において保持しておくことが可能である。また、デマンド値データはフラッシュメモリ等の記録媒体を介して取得することも可能であり、種々の態様が考えられる。
【００１６】
図１の例では、２００９年０５月１１日以降の電力基本料金について対策を立てるものとして、デマンド値データの取得する電力基本料金算定期間を「２００８年０５月１１日〜２００９年０５月１０日」としているが、それ以降のデータについても適宜取得して省電力シートのシートデータを更新することも可能である。
【００１７】
「第一表出力部」は、前記電力基本料金算定期間中の最大のデマンド値及び同期間中の前記最大のデマンド値に近い値として検出された複数のデマンド値と、その各検出日時の全部又は一部とを対にして、デマンド値の大きさの昇順または降順に並べて表示する第一表をシートデータに出力する機能を有する。
【００１８】
ここで、前記最大のデマンド値に近い値として検出された複数のデマンド値とは、最大のデマンド値に次いで大きな値を取るデマンド値などのことをいう。例えば、最大のデマンド値を含めて電力基本料金算定期間中の上位数件のデマンド値を表示することが考えられる。なお、最大のデマンド値に近いとは、表示されない他のデマンド値と比較して相対的に近い場合を想定することも可能であるし、絶対的な値として近い場合を想定することも可能である。例えば、上位数件に入っているデマンド値であっても最大のデマンド値に対して絶対的に近いとはいえない場合は表示しないといった構成も可能である。
【００１９】
図１の例では、最大のデマンド値は「１３９（ｋＷ）」であり、その検出日時は「２００８年８月１５日（金）１１時００分」と、「２００８年８月１５日（金）１０時３０分」となっている。また、最大のデマンド値に近い値として検出された複数のデマンド値として、「１３７、１３６、１３５、１３４（ｋＷ）」の４つが挙げられている。
【００２０】
また、図１の「第一表」０１１０の例では各デマンド値に関して最大５回までの検出日時を表示している。このように検出日時が第一表に全て表示できない場合は、最新のものから所定数の検出日時のみ表示する構成も可能であるし、その他任意の方法により選択された日時のみを表示する構成が可能である。なお、ディスプレイ等の表示装置にシートデータを出力する態様を想定している場合は、表示装置にスクロールバーを設けて全ての検出日時を表示可能な構成とすることも可能である。
【００２１】
また、図１の「第一表」０１１０の例では、デマンド値の大きさの降順「１３９、１３７、１３６、１３５、１３４（ｋＷ）」に並べて表示する構成を示しているが、デマンド値の大きさの昇順「１３４、１３５、１３６、１３７、１３９（ｋＷ）」に並べて表示する構成も同様に可能である。
【００２２】
また、図３に示す「第一表」０３１０のように、図１における「第一表」０１１０の構成に対して検出回数のデータを追加表示する構成も可能である。この図のような構成をとることにより、所定のデマンド値（例えば、１３６（ｋＷ））の検出日時が所定回数（例えば、５回）を超えていたことが一見して明らかになる。なお、検出日時が所定回数を超えたデマンド値に対しては、当該デマンド値の表示態様（文字色、下線有無など）を変化させたり、特定のマークや文字を追加的に表示したりして、他のデマンド値と区別可能な構成とすることも可能である。
【００２３】
なお、第一表の表現は図１、図３の例に特に限定されるものではなく、種々の態様が可能である。例えば、表を構成する各要素の配置や、各要素の単位（日時、ｋＷなど）、各要素の数（デマンド値や検出日時の表示数など）、各要素のサイズ・色など複数の選択の余地がある。これらを種々変形したものに関しても本実施例の第一表の構成を満たすものである（以下で説明する第二表、第三表、第四表などについても同様である）。
【００２４】
また、第一表において、過去（例えば、一年前など）に立てた目標デマンド値を特定可能なように表示する構成も可能である。例えば、当該過去の目標デマンド値に該当するデマンド値に対して下線を引いたり、色を変えたり、マークを付加するなど、他の目標デマンド値と区別する構成が考えられる。また、当該過去の目標デマンド値を超過したデマンド値や、下回ったデマンド値、及びそれらの検出日時などについても表示態様を区別する構成が考えられる。例えば、目標デマンド値を超過したデマンド値及びその検出日時については赤色、目標デマンド値及びその検出日時については黄色、目標デマンド値を下回ったデマンド値及びその検出日時については青色で表示するといった態様も可能である。
【００２５】
「第二表出力部」は、前記第一表に表示された最大のデマンド値よりも小さな値のデマンド値である目標デマンド値の候補と、その候補となる目標デマンド値を超過する電力基本料金算定期間中のデマンド値の検出回数とを対にして、目標デマンド値の大きさの昇順または降順に並べて表示する第二表を前記シートデータに出力する機能を有する。
【００２６】
ここでは、目標デマンド値を超過する電力基本料金算定期間中のデマンド値の検出回数を対にしているが、目標デマンド値以上の値となるデマンド値の検出回数を対にする構成も可能である。また、目標デマンド値の候補は、第一表に表示されているデマンド値に限定されるものではなく、それらの値よりも小さな値となるデマンド値を目標デマンド値の候補として表示する構成も可能である。
【００２７】
図１の例では、最大のデマンド値が「１３９（ｋＷ）」であり、それよりも小さな値のデマンド値である目標デマンド値として「１３７、１３６、１３５、１３３（ｋＷ）」の４つを挙げている。例えば、「１３９（ｋＷ）」のデマンド値は電力基本料金算定期間中において２回検出されており、目標デマンド値を「１３７（ｋＷ）」に設定した場合、今後の対応期間において改善策を取らないと目標デマンド値を超過するデマンド値は２回程度検出されることが予想される。また、「１３７（ｋＷ）」のデマンド値は電力料金算定期間中において４回検出されており、目標デマンド値を「１３６（ｋＷ）」に設定した場合、今後の対応期間において改善策を取らないと目標デマンド値を超過するデマンド値は６回程度検出されることが予想される。
【００２８】
また、図１の「第二表」０１２０のように、デマンド値の検出回数は「〜回以内」といった幅のある表示態様が考えられるが、図４の「第二表」０４２０のように「〜回」といった表示態様も同様に可能であり、特に表現が限定されるものではない。図４においては、目標デマンド値として「１３８、１３７、１３６、１３５、１３４、１３３（ｋＷ）」の６つの候補を挙げており、各候補を超過する電力基本料金算定期間中のデマンド値の検出回数は「２、２、６、１２、１７、２０（回）」となっている。当該情報を見ることにより、ある目標デマンド値に設定した場合に、今後の対応期間においてどれくらいの頻度でデマンド値が目標デマンド値を超過しそうになるかをおおよそ把握することができる。
【００２９】
また、第一表の情報から、デマンド値が高くなるタイミングの特性（季節・曜日・時間帯など）を分析することが可能であり、当該特性を踏まえた上で省電力対策を講じることが可能になる。
【００３０】
つまり、第一表に示された電力基本料金算定期間中の過去のデマンド値の具体的な検出日時の情報と、第二表に示された目標デマンド値の設定目安の情報とを相互にリンクさせることにより、省電力対策に関して相乗的な効果が生まれることになる。
【００３１】
以上の省電力シート出力装置により出力された省電力シートのデータは、プリンタ装置に対してデータ出力して印刷された状態で取り出すことも可能であるし、ディスプレイ装置に対してデータ出力して画面上に表示させることも可能である。また、記録媒体に記録したり、通信装置を利用してネットワーク上の他の装置にデータ送信したりすることも可能である。
【００３２】
なお、デマンド値データに加えて、電力基本料金算定期間中の１日間電力使用量（実施例３にて説明する）や、電力基本料金算定期間中の営業時間外の事業場の電力使用量（実施例４にて説明する）、電力基本料金算定期間中の事業場の情報（営業時間、天候、スタッフＩＤ，売上などの情報）を取得する構成も可能である。これらの具体的な情報をさらに用いることにより、各検出日時がどのような日であったかを思い起こすことが容易になり、さらに具体的な省電力対策を取ることが可能になる。
【００３３】
<具体的な構成>
図５は、上記の省電力シート出力装置の機能的な各構成要素をハードウェアとして実現した際の、構成の一例を表す概略図である。この図を利用して、ハードウェア構成部の働きについて説明する。
【００３４】
この図にあるように、上記の省電力シート出力装置は、「ＣＰＵ」０５０１と、「メインメモリ」０５０２と、「補助記憶装置」０５０３と、「ディスプレイ装置」０５０４と、「通信装置」０５０５と、「プリンタ装置」０５０６と、「操作入力装置」０５０７と、を備える。これらの構成は、「システムバス」０５０８のデータ通信経路によって相互に接続され、情報の送受信や処理を行う。本実施例の省電力シート出力装置は、デマンド値データ取得処理と、第一表出力処理、と、第二表出力処理とを行う。
【００３５】
省電力シート出力装置は、ＣＰＵにてデマンド値データ取得処理を実行し、補助記憶装置からデマンド値データを取得し、メインメモリの所定のアドレスに格納する。また、他の通信装置を介してネットワーク上の所定の装置からデマンド値データを受信して、メインメモリや補助記憶装置に格納する処理も可能である。ここで、複数のデマンド値データを取得可能な場合は、これから出力する省電力シートに係るＩＤを指定して、対応するデマンド値データを取得する処理を行うことが考えられる。
【００３６】
また、省電力シート出力装置は、ＣＰＵにて第一表出力処理を実行し、以下の処理を行う。まず、デマンド値データから電力基本料金算定期間中の最大のデマンド値及び同期間中の上記最大のデマンド値に近い値として検出された複数のデマンド値（例えば、上位５個のデマンド値データ）とその各検出日時を特定する処理を行う。次に、検出日時のデータが基準回数（例えば、５回）を超えているデマンド値に関しては、当該基準回数分の検出日時（例えば、最近の日時のものを優先して５回）のデータに限定する処理を行う。次に、上記最大のデマンド値及び最大のデマンド値に近い値として検出された複数のデマンド値と基準回数以内に限定された各検出日時とを対にして、デマンド値の大きさの降順（又は昇順）に並べて表示する第一表をシートデータに出力する処理を行う。
【００３７】
また、省電力シート出力装置は、ＣＰＵにて第二表出力処理を実行し、以下の処理を行う。まず、第一表出力処理にて取得された最大のデマンド値よりも小さな値である目標デマンド値の候補のデータを特定する処理を行う。次に、候補となる目標デマンド値を超過する電力基本料金算定期間中のデマンド値の検出回数を取得する処理を行い、メインメモリの所定のアドレスに格納する。次に、上記目標デマンド値の候補と、上記超過するデマンド値の検出回数とを対にして、目標デマンド値の大きさの降順（又は昇順）に並べて表示する第二表を上記シートデータに出力する処理を行う。
【００３８】
省電力シート出力装置は、以上の処理により出力されるシートデータを補助記憶装置に記憶させたり、ディスプレイ装置で表示出力させたり、プリンタ装置で印刷出力させたり、通信装置でデータ送信させたりすることが可能である。
【００３９】
<処理の流れ>
図６は、本実施例の省電力シート出力方法の処理の流れの一例を示す図である。同図の処理の流れは以下のステップからなる。最初にデマンド値データ取得ステップ（Ｓ０６０１）では、電力基本料金算定期間中のデマンド値とその検出日時のデータであるデマンド値データを取得する処理を行う。第一表出力ステップ（Ｓ０６０２）では、前記電力基本料金算定期間中の最大のデマンド値及び同期間中の前記最大のデマンド値に近い値として検出された複数のデマンド値と、その各検出日時の全部又は一部とを対にして、デマンド値の大きさの昇順または降順に並べて表示する第一表をシートデータに出力する処理を行う。第二表出力ステップ（Ｓ０６０３）では、前記第一表に表示された最大のデマンド値よりも小さな値のデマンド値である目標デマンド値の候補と、その候補となる目標デマンド値を超過する電力基本料金算定期間中のデマンド値の検出回数とを対にして、目標デマンド値の大きさの昇順または降順に並べて表示する第二表を前記シートデータに出力する処理を行う。
【００４０】
なお、以上の処理をコンピュータに実行させるためのプログラムや、そのプログラムを記録した記録媒体も本実施例の技術的思想に含まれるものである（以下の実施例における処理の流れについても同様である）。
【００４１】
<効果>
本実施例の発明によって、どのような日時の電力使用の結果により電力基本料金が増加したのかを把握することが可能になり、具体的な対策を立てやすくなる。また、電力基本料金を下げるために目標デマンド値を立てるに際して、過去の電力使用状況の情報に基づいて妥当な値を選択することが可能になる。
【実施例２】
【００４２】
<概要>
図７に示すように、本実施例の省電力シート出力装置が出力する「省電力シート」０７００は、「第一表」０７１０と「第二表」０７２０を有しているが、「第二表」０７２０に示した目標デマンド値の各候補を今後超過しないように警告装置にて警告を行うと仮定した場合の警告回数（０７２０においては「予測警報数」）と目標デマンド値の候補（０７２０においては「目標デマンド設定目安」）とをさらに対にして表示することを特徴としている。当該構成とすることにより、警告がどれくらいの頻度で行われるかを予想することができ、現実的な目標デマンド値を選択することが可能になる。
【００４３】
<構成>
図８は、本実施例の省電力シート出力装置の機能ブロックの一例を示す図である。この図にあるように、本実施例の「省電力シート出力装置」０８００は、「デマンド値データ取得部」０８０１と、「第一表出力部」０８０２と、「第二表出力部」０８０３と、を備え、「第二表出力部」０８０３は、「警告回数出力手段」０８０４を含むことを特徴とする。以下、実施例１との相違点である「警告回数出力手段」０８０４について説明する。
【００４４】
「警告回数出力手段」は、前記目標デマンド値の各候補を超過する電力基本料金算定期間中のデマンド値の検出回数に基づいて、前記目標デマンド値の各候補を今後超過しないように警告装置にて警告を行うと仮定した場合の警告回数と前記目標デマンド値の各候補とをさらに対にして前記第二表を出力する機能を有する。
【００４５】
ここで、警告装置にて警告を行うと仮定した場合の警告回数は、第二表に表示される目標デマンド値の検出回数に比例した値となることが考えられる。例えば、目標デマンド値を超過すると判断される際に５回の警告を行うよう設定した場合は、上記検出回数の５倍の値が警告回数となる。
【００４６】
また、図７で示した「第二表」０７２０の表示態様の他に、図９で示すような「第二表」０９２０の表示態様も同様に可能である。この図では、図７と同様に、目標デマンド値を超過すると判断される際に段階的に５回の警告を行うように設定している場合を示しているが、その他の回数の警告を行うように設定する場合も同様に可能である。
【００４７】
また、図１０の「第二表」１０２０においては、目標デマンド値を超過すると判断される際に行われる警告の回数を５回、３回、１回から選択できる場合を想定しており、検出回数に対して５倍、３倍、１倍した数を上記警告回数として表示する態様となっている。
【００４８】
<具体的な構成>
本実施例の省電力シート出力装置の具体的な構成は、図５で示した実施例１の省電力シート出力装置の具体的な構成と共通する。ただし、本実施例の省電力シート出力装置は、第二表出力処理において警告回数出力処理を行うことを特徴とする。
【００４９】
省電力シート出力装置は、ＣＰＵにて警告回数出力処理を実行し、以下の処理を行う。まず、目標デマンド値の各候補を超過する電力基本料金算定期間中のデマンド値の検出回数の値を所定倍（例えば、５倍）した値をそれぞれ算出し、警告回数のデータとしてメインメモリの所定のアドレスに格納する。次に、上記目標デマンド値の候補と、上記超過するデマンド値の検出回数と、上記警告回数とを対にして、目標デマンド値の大きさの降順（又は昇順）に並べて表示する第二表を上記シートデータに出力する処理を行う。その他の処理に関しては、実施例１で説明した処理と同様であるから説明を省略する。
【００５０】
<処理の流れ>
本実施例の省電力シート出力方法の処理の流れは、図６で示した実施例１の処理の流れと同様である。ただし、本実施例の省電力シート出力方法の第二表出力ステップは、警告回数出力サブステップを含むことを特徴とする。警告回数出力サブステップは、前記目標デマンド値の各候補を超過している前記第一表中のデマンド値の検出回数に基づいて、前記目標デマンド値の各候補を今後超過しないように警告装置にて警告を行うと仮定した場合の警告回数と前記目標デマンド値の各候補とをさらに対にして前記第二表を出力する処理を行う。
【００５１】
<効果>
本実施例の発明によって、実施例１の効果に加えて、当該構成とすることにより、警告がどれくらいの頻度で行われるかを予想することができ、現実的な目標デマンド値を選択することが可能になる。
【実施例３】
【００５２】
<概要>
図１１に示すように、本実施例の省電力シート出力装置が出力する「省電力シート」１１００は、「第一表」１１１０と「第二表」１１２０を有しているが、電力基本料金算定期間中の最大の１日間電力使用量及び同期間中の最大の１日間電力使用量に近い値として検出された複数の１日間電力使用量と、その各検出日及びその各検出日における最大のデマンド値とを対にして、１日間電力使用量の大きさの昇順または降順に並べて表示する「第三表」１１３０をさらに有することを特徴とする。当該構成とすることにより、高い１日電力使用量が検出された日における最大のデマンド値を把握することでき、さらに具体的な省電力対策を取ることが可能になる。
【００５３】
<構成>
図１２は、本実施例の省電力シート出力装置の機能ブロックの一例を示す図である。この図にあるように、本実施例の「省電力シート出力装置」１２００は、「デマンド値データ取得部」１２０１と、「第一表出力部」１２０２と、「第二表出力部」１２０３と、「日毎データ取得部」１２０４と、「第三表出力部」１２０５と、を備える。以下、実施例１との相違点である「日毎データ取得部」１２０４と「第三表出力部」１２０５について説明する。
【００５４】
「日毎データ取得部」は、電力基本料金算定期間中の１日間電力使用量とその検出日及びその検出日における最大のデマンド値のデータを取得する機能を有する。ここで、１日間電力使用量とは、１日において使用される電力量の合計の値を示すものである。
【００５５】
１日間電力使用量とその検出日及びその検出日における最大のデマンド値のデータは、電力基本料金算定期間中のデマンド値とその検出日時のデータであるデマンド値データに基づいて省電力シート出力装置で算出して取得する構成が可能である。ただし、１日間電力使用量とその検出日及びその検出日における最大のデマンド値のデータを省電力シート出力装置で算出するのではなく、他の装置や記録媒体から取得する構成やネットワークを介して他の装置から取得する構成も可能である。
【００５６】
「第三表出力部」は、前記１日間電力使用量とその検出日及びその検出日における最大のデマンド値に基づいて、電力基本料金算定期間中の最大の１日間電力使用量及び同期間中の前記最大の１日間電力使用量に近い値として検出された複数の１日間電力使用量と、その各検出日及びその各検出日における最大のデマンド値とを対にして、１日間電力使用量の大きさの昇順または降順に並べて表示する第三表を前記シートデータに出力する機能を有する。
【００５７】
ここで、前記最大の１日間電力使用量に近い値として検出された複数の１日間電力使用量とは、最大の１日間電力使用量に次いで大きな値を取る１日間電力使用量などのことをいう。例えば、最大の１日間電力使用量を含めて電力基本料金算定期間中の上位数件の１日間電力使用量を表示することが考えられる。なお、最大の１日間電力使用量に近いとは、表示されない他のデマンド値と比較して相対的に近い場合を想定することも可能であるし、絶対的な値として近い場合を想定することも可能である。例えば、上位数件に入っている１日間電力使用量であっても最大の１日間電力使用量に対して絶対的に近いとはいえない場合は表示しないといった構成も可能である。
【００５８】
図１１の例では、最大の１日間電力使用量は「２００６（ｋＷ）」であり、その検出日は「２００８年８月１３日（水）」となっている。また、最大の１日間電力使用量に近い値として検出された複数の１日間電力使用量として、「１９８６、１９２３、１８９７、１８６２（ｋＷ）」の４つが挙げられている。第一表と第三表を対比して観察することにより、１日間電力使用量が大きな値であってもその検出日におけるピークデマンド値が他と比較して低く抑えられているケースや、１日間電力使用量が他と比較して低く抑えられている日であっても高いデマンド値を取っているケースなどが存在することを把握できる。このようなケースを把握することにより、電力使用に関するさらなる見直しができ、効果的な省電力対策を立てることができる。
【００５９】
<具体的な構成>
本実施例の省電力シート出力装置の具体的な構成は、図５で示した実施例１の省電力シート出力装置の具体的な構成と共通する。ただし、本実施例の省電力シート出力装置は、日毎データ取得処理と、第三表出力処理を行うことを特徴とする。
【００６０】
省電力シート出力装置は、ＣＰＵにて日毎データ取得処理を実行し、補助記憶装置から日毎データを取得し、メインメモリの所定のアドレスに格納する。また、他の例として通信装置を介してネットワーク上の所定の装置から日毎データを受信して、メインメモリや補助記憶装置の所定のアドレスに格納する処理も可能である。また、デマンド値データに基づいて日毎データを生成する処理を行うことも可能である。ここで、複数の日毎データを取得可能な場合は、これから直近で出力する予定の省電力シートに係るＩＤ（識別子）を指定して、特定の日毎データを取得する処理を行うことが考えられる。
【００６１】
また、省電力シート出力装置は、ＣＰＵにて第三表出力処理を実行し、以下の処理を行う。まず、日毎データから電力基本料金算定期間中の最大の１日間電力使用量及び同期間中の前記最大の１日間電力使用量に近い値として検出された複数の１日間電力使用量のデータ（例えば、上位５個の１日間電力使用量のデータ）とその各検出日のデータ及びその各検出日における最大のデマンド値のデータを特定する処理を行う。次に、上記最大の１日間電力使用量及び最大の１日間電力使用量に近い値として検出された１日間電力使用量とその各検出日及びその各検出日における最大のデマンド値とを対にして、１日間電力使用量の大きさの降順（又は昇順）に並べて表示する第三表をシートデータに出力する処理を行う。
【００６２】
<処理の流れ>
図１３は、本実施例の省電力シート出力方法の処理の流れの一例を示す図である。基本的な処理の流れは、図６で示した実施例１の処理の流れと同様であるが、本実施例の省電力出力シート出力方法は、さらに日毎データ取得ステップ（Ｓ１３０２）と、第三表出力ステップ（Ｓ１３０５）を有することを特徴とする。日毎データ取得ステップでは、電力基本料金算定期間中の１日間電力使用量とその検出日及びその検出日における最大のデマンド値のデータを取得する処理を行う。第三表出力ステップでは、前記１日間電力使用量とその検出日及びその検出日における最大のデマンド値に基づいて、電力基本料金算定期間中の最大の１日間電力使用量及び同期間中の前記最大の１日間電力使用量に近い値として検出された複数の１日間電力使用量と、その各検出日及びその各検出日における最大のデマンド値とを対にして、１日間電力使用量の大きさの昇順または降順に並べて表示する第三表を前記シートデータに出力する処理を行う。上記の処理の順番は一例であり、例えば日毎データ取得ステップを第三表出力ステップの直前に行う態様も可能であるし、第一表出力ステップや第二表出力ステップ、第三表出力ステップの順番を適宜入れ替えた順番も同様に可能である。
【００６３】
<効果>
本実施例の発明によって、実施例１の効果に加えて、電力使用量が高かった日における最大のデマンド値を把握することでき、さらに効果的な省電力対策を立てやすくなる。
【実施例４】
【００６４】
<概要>
図１４に示すように、本実施例の省電力シート出力装置が出力する「省電力シート」１４００は、「第一表」１４１０と「第二表」１４２０を有しているが、電力基本料金算定期間中における過去所定期間の営業時間外の事業場の電力使用量と、当該過去所定期間の事業場において常時最低限使用される電力量である必要待機電力量及び当該営業時間外の事業場において必要待機電力以外に使用された電力量である余分待機電力量とを対にして表示する「第四表」１４４０をさらに含むことを特徴とする。当該構成とすることにより、営業時間外においてどれくらい余分な電力が発生しているかを容易に把握することができ、さらに具体的な省電力対策を立てやすくなる。
【００６５】
<構成>
図１５は、本実施例の省電力シート出力装置の機能ブロックの一例を示す図である。この図にあるように、本実施例の「省電力シート出力装置」１５００は、「デマンド値データ取得部」１５０１と、「第一表出力部」１５０２と、「第二表出力部」１５０３と、「営業時間外電力使用量データ取得部」１５０４と、「必要待機電力量取得部」１５０５と、「余分待機電力量取得部」１５０６と、「第四表出力部」１５０７と、を備える。
【００６６】
「営業時間外電力使用量データ取得部」は、電力基本料金算定期間中における過去所定期間の営業時間外の事業場の電力使用量である営業時間外電力使用量のデータを取得する機能を有する。ここで、事業場における業種は特に限定されるものではない。また、営業時間に関しては任意に設定することが可能であり、事業場ごとに異なる態様も可能である。また、当該営業時間の情報は上記営業時間外電力使用量のデータに含まれる構成が考えられる。なお、デマンド値データと営業時間の情報に基づいて営業時間外電力使用量のデータを生成して取得する構成も可能である。
【００６７】
図１４の例では、電力基本料金算定期間中のうち最近の週である「２００９年０５月０３日（日）〜０９日（土）」を過去所定期間としているが、電力基本料金算定期間中のうち最も電力使用量が多かった週や、その他の任意の期間とすることも同様に可能である。
【００６８】
「必要待機電力量取得部」は、前記営業時間外電力使用量に基づいて、前記過去所定期間の営業時間外の事業場において常時最低限使用された電力量である必要待機電力量を取得する機能を有する。ここで、必要待機電力量は、事業場において常時接続されている電気機器（例えば、冷凍庫など）が消費する電力量が主として考えられる。
【００６９】
ここで、必要待機電力量の取得方法としては、例えば前記過去所定期間の営業時間外において最小となるデマンド値やその他の時間あたり（例えば１時間あたり）の電力量に基づいて算出する方法が考えられる。図１４の例では、「２００９年０５月０３日（日）〜０９日（土）」の期間における１時間あたりの電力量の最小値が「２２（ｋＷｈ）」で、営業時間外の時間が「１３２時間」となる場合を示しており、必要待機電力は「２２（ｋＷｈ）×１３２（ｈ）＝２９０４（ｋＷ）」となっている。
【００７０】
「余分待機電力量取得部」は、前記営業時間外電力使用量と前記必要待機電力量に基づいて前記過去所定期間の営業時間外の事業場において必要待機電力量以外に使用された電力使用量である余分待機電力量を取得する機能を有する。図１４の例では、「２００９年０５月０３日（日）〜０９日（土）」の期間における営業時間外の電力使用量の合計「４１２３（ｋＷｈ）」から上記必要待機電力量「２９０４（ｋＷｈ）」を差し引いて余分待機電力量「１２１９（ｋＷｈ）」を算出している。
【００７１】
「第四表出力部」は、前記営業時間外の事業場の電力使用量と必要待機電力及び余分待機電力とを対にして表示する第四表を前記シートデータに出力する機能を有する。なお、第四表の他の例としては、図１６のような態様も考えられる。図１６の「第四表」１６４０では、過去所定期間「２００９年０５月０３日（日）〜０９日（土）」における営業時間外の時間の情報と、各日の当該営業時間外における電力使用量、各日の１日間電力使用量の情報がさらに示されている。
【００７２】
これらの第四表の情報を参照することにより、営業時間外の事業場において常時最低限必要とされる電力量とそれ以外の電力量を区別でき、営業時間外においてどれくらい余分な電力が発生しているかを把握することが可能になる。つまり、第四表を参照することでより具体的な省電力対策を立てやすくなる。
【００７３】
<具体的な構成>
本実施例の省電力シート出力装置の具体的な構成は、図５で示した実施例１の省電力シート出力装置の具体的な構成と共通する。ただし、本実施例の省電力シート出力装置は、
営業時間外電力使用量データ取得処理と、必要待機電力量取得処理と、余分待機電力量取得処理と、第四表出力処理と、を行うことが可能である。
【００７４】
省電力シート出力装置は、ＣＰＵにて営業時間外電力使用量データ取得処理を実行し、補助記憶装置から営業時間外電力使用量のデータを取得し、メインメモリの所定のアドレスに格納する。また、他の例として通信装置を介してネットワーク上の所定の装置から営業時間外電力使用量のデータを受信して、メインメモリの所定のアドレスに格納する処理も可能である。また、デマンド値データと営業時間の情報に基づいて上記営業時間外電力使用量のデータを生成する処理を行うことも可能である。ここで、複数の事業場についてそれぞれ営業時間外電力使用量のデータを取得可能な場合は、これから直近で出力する予定の省電力シートに係る事業場ＩＤ（識別子）を指定して、取得する処理を行うことが考えられる。
【００７５】
また、省電力シート出力装置は、ＣＰＵにて必要待機電力量取得処理を実行し、営業時間外電力使用量のデータに基づいて過去所定期間（例えば過去１週間）の営業時間外における１時間あたりの電力使用量の最小値を取得する処理を行い、当該最小使用量の値を過去所定期間の必要待機電力量とみなしてメインメモリの所定のアドレスに格納する。
【００７６】
また、省電力シート出力装置は、ＣＰＵにて余分待機電力量取得処理を実行し、前記営業時間外電力使用量の値から前記必要待機電力量の値を差し引く処理を行い、差し引かれた値を余分待機電力量とみなして、メインメモリの所定のアドレスに格納する。
【００７７】
また、省電力シート出力装置は、ＣＰＵにて第四表出力処理を実行し、上記営業時間外の事業場の電力使用量と必要待機電力及び余分待機電力とを対にして表示する第四表を前記シートデータに出力する処理を行う。
【００７８】
<処理の流れ>
図１７は、本実施例の省電力シート出力方法の処理の流れの一例を示す図である。基本的な処理の流れは、図６で示した実施例１の処理の流れと同様であるが、本実施例の省電力出力シート出力方法は、さらに営業時間外電力使用量データ取得ステップ（Ｓ１７０２）と、必要待機電力量取得ステップ（Ｓ１７０３）と、余分待機電力量取得ステップ（Ｓ１７０４）と、第四表出力ステップ（Ｓ１７０７）と、をさらに有する。
【００７９】
営業時間外電力使用量データ取得ステップは、電力基本料金算定期間中における過去所定期間の営業時間外の事業場の電力使用量である営業時間外電力使用量のデータを取得する処理を行う。必要待機電力量取得ステップは、前記営業時間外電力使用量に基づいて、過去所定期間の事業場において常時最低限使用された電力量である必要待機電力量を取得する処理を行う。余分待機電力量取得ステップは、前記営業時間外電力使用量と前記必要待機電力量に基づいて営業時間外の事業場において必要待機電力量以外に使用された電力使用量である余分待機電力量を取得する処理を行う。第四表出力ステップは、前記営業時間外の事業場の電力使用量と必要待機電力及び余分待機電力とを対にして表示する処理を行う。
【００８０】
<効果>
本実施例の発明によって、実施例１の効果に加えて、営業時間外においてどれくらい余分な電力が発生しているかを把握することができ、さらに具体的な省電力対策を立てやすくなる。
【符号の説明】
【００８１】
０１００：省電力シート、０１１０：第一表、０１２０：第二表、１１３０：第三表、１４４０：第四表、０２００：省電力シート出力装置０２０１：デマンド値データ取得部、０２０２：第一表出力部、０２０３：第二表出力部、０８０４：警告回数出力手段、１２０４：日毎データ取得部、１２０５：第三表出力部、１５０４：営業時間外電力使用量データ取得部、１５０５：必要待機電力量取得部、１５０６：余分待機電力量取得部、１５０７：第四表出力部、０５０１：ＣＰＵ、０５０２：メインメモリ、０５０３：補助記憶装置、０５０４：ディスプレイ装置、０５０５：通信装置、０５０６：プリンタ装置、０５０７：操作入力装置、０５０８：システムバス
【図１】
2011114915.tif 000003
【図２】
2011114915.tif 000004
【図３】
2011114915.tif 000005
【図４】
2011114915.tif 000006
【図５】
2011114915.tif 000007
【図６】
2011114915.tif 000008
【図７】
2011114915.tif 000009
【図８】
2011114915.tif 000010
【図９】
2011114915.tif 000011
【図１０】
2011114915.tif 000012
【図１１】
2011114915.tif 000013
【図１２】
2011114915.tif 000014
【図１３】
2011114915.tif 000015
【図１４】
2011114915.tif 000016
【図１５】
2011114915.tif 000017
【図１６】
2011114915.tif 000018
【図１７】
2011114915.tif 000019